(57)【要約】      （修正有）【課題】シールドコンタクトを確実化するプラグインコネクタを提供する。【解決手段】丸形プラグインコネクタ１００は少なくとも１つの接触要素１１２を有するコンタクトキャリアと、コンタクトキャリアを少なくとも部分的に包囲するシールドスリーブ１３０と、シールドスリーブに回転可能に接続された相手側プラグインコネクタとのネジ接続のために設けられたネジ付きハウジング１４０とを含んでおり、シールドスリーブの接続部分１３２はハウジング１４０の受容空間１４２に受容されており、丸形プラグインコネクタはネジ付きハウジングとシールドスリーブとの間にシールドコンタクトが存在するように構成されている。シールドスリーブは接続部分においてカラー１３４を有しており、コネクタはさらにストッパ１５０を含んでおり、ストッパは受容空間の受容開口部１４４を少なくとも部分的に閉鎖しカラーが受容空間に留められているように構成されている。【選択図】図１
2019102448.tif 000002
【特許請求の範囲】
【請求項１】
相手側プラグインコネクタとシールドプラグイン接続を形成するための丸形プラグインコネクタ（１００；２００；４００）であって、少なくとも１つの電気的接触要素（１１２）を有するコンタクトキャリア（１１０；４１０）と、前記コンタクトキャリア（１１０；４１０）を少なくとも部分的に包囲するシールドスリーブ（１３０）と、前記シールドスリーブ（１３０）に回転可能に接続された、前記丸形プラグインコネクタ（１００；２００；４００）の前記相手側プラグインコネクタとのネジ接続のために設けられたネジ付きハウジング（１４０；２４０；３４０）と、を含んでおり、前記シールドスリーブ（１３０）の接続部分（１３２）が、前記ネジ付きハウジング（１４０；２４０；３４０）の受容空間（１４２）に受容されており、前記丸形プラグインコネクタ（１００；２００；４００）が、前記ネジ付きハウジング（１４０；２４０；３４０）と前記シールドスリーブ（１３０）との間にシールドコンタクトが存在するように構成されている丸形プラグインコネクタ（１００；２００；４００）において、
前記シールドスリーブ（１３０）は、前記接続部分（１３２）において、カラー（１３４）を有しており、前記丸形プラグインコネクタ（１００；２００；４００）はさらに、ストッパ（１５０；２５０；３５０）を含んでおり、前記ストッパは、前記受容空間（１４２）の受容開口部（１４４；２４４）を少なくとも部分的に閉鎖し、前記カラーが前記受容空間（１４２）内に留められているように構成されていることを特徴とする丸形プラグインコネクタ（１００；２００；４００）。
【請求項２】
前記ストッパ（１５０；２５０；３５０）が端面（１５２）を有しており、前記端面は、前記カラー（１３４）を通じて平面での接触を行うように構成されていることを特徴とする、請求項１に記載の丸形プラグインコネクタ（１００；２００；４００）。
【請求項３】
前記端面（１５２）が、前記カラー（１３４）を通じて平面での接触を行うように構成されているのは、前記丸形プラグインコネクタ（１００；２００；４００）が、前記ネジ付きハウジング（１４０；２４０；３４０）を用いて、相手側プラグインコネクタ部分にネジ接続されている場合であることを特徴とする、請求項２に記載の丸形プラグインコネクタ（１００；２００；４００）。
【請求項４】
前記端面（１５２）が端部輪郭（１５８、２５８）を有しており、前記端部輪郭は、前記丸形プラグインコネクタ（１００；２００；４００）が、前記ネジ付きハウジング（１４０；２４０；３４０）を用いて、前記相手側プラグインコネクタ部分にネジ接続されている場合に、耐振性を形成するために、前記カラーの相手側輪郭に係合するように設定されていることを特徴とする、請求項３に記載の丸形プラグインコネクタ（１００；２００；４００）。
【請求項５】
前記ストッパ（１５０；２５０；３５０）が、螺入によって、及び／又は、挿入と捻りとによって、前記ネジ付きハウジング（１４０；２４０；３４０）に固定され、その結果、前記受容開口部（１４４；２４４）を少なくとも部分的に閉鎖するように構成されていることを特徴とする、請求項１から４のいずれか一項に記載の丸形プラグインコネクタ（１００；２００；４００）。
【請求項６】
前記ネジ付きハウジング（１４０；３４０）が、前記受容開口部（１４４；２４４）の領域において、少なくとも１つの雌ネジ（１４６；３４６）及び／又は少なくとも１つの雌ネジセグメントを有しており、前記ストッパ（１５０；３５０）は、前記ストッパ（１５０；３５０）を前記受容開口部（１４４；２４４）に螺入するために、少なくとも１つの雄ネジ及び／又は少なくとも１つの雄ネジセグメント（１５４；３５４）を有していることを特徴とする、請求項５に記載の丸形プラグインコネクタ（１００；４００）。
【請求項７】
前記雌ネジ（１４６）及び／又は前記雌ネジセグメントが、回して取り外された雌ネジ及び／又は回して取り外された雌ネジセグメントを含んでおり、前記ネジ付きハウジング（１４０）及び前記ストッパ（１５０）は、少なくとも部分的に、亜鉛ダイキャストによって製造されていることを特徴とする、請求項６に記載の丸形プラグインコネクタ（１００；４００）。
【請求項８】
前記雌ネジ（３４６）及び／又は前記雌ネジセグメントが、少なくとも部分的にフライス加工で製造された円錐形の雌ネジ及び／又は円錐形の雌ネジセグメントを含んでいることを特徴とする、請求項７に記載の丸形プラグインコネクタ（１００；４００）。
【請求項９】
前記ネジ付きハウジング（２４０）が、前記受容開口部（２４４）の領域において、少なくとも１つのアンダーカット輪郭（２４６）を有しており、前記ストッパ（２５０）は、外側面に、少なくとも１つの相手側アンダーカット輪郭（２５４）を有しており、前記相手側アンダーカット輪郭は、前記ストッパ（２５０）を、差し込み及び捻りによって前記受容開口部（２４４）内に固定するために、前記ネジ付きハウジング（２４０）の前記アンダーカット輪郭（２４６）と係合するように構成されていることを特徴とする、請求項５に記載の丸形プラグインコネクタ（２００）。
【請求項１０】
前記ネジ付きハウジング（２４０）と前記ストッパ（２５０）とが、少なくとも部分的に、フライス加工によって製造されていることを特徴とする、請求項９に記載の丸形プラグインコネクタ（２００）。
【請求項１１】
前記ネジ付きハウジング（１４０；２４０；３４０）に接する前記ストッパ（１５０；２５０；３５０）が、少なくとも１つの雄ネジ（１４６、１５４；３４６、３５４）、少なくとも１つのアンダーカット輪郭（２４６、２５４）及び／又は前記丸形プラグインコネクタ（２００）の材料を、前記丸形プラグインコネクタ（１００；２００；４００）のアンダーカット輪郭（２４６、２５４）に隣接する領域にプレスフィットすることによって、前記ネジ付きハウジング（１４０；２４０；３４０）に分離不能に固定可能であることを特徴とする、請求項５から１０のいずれか一項に記載の丸形プラグインコネクタ（１００；２００；４００）。
【請求項１２】
前記ストッパ（１５０；２５０；３５０）が、少なくとも１つの窓（１５６；２５６；３５６）を有しており、前記窓は、前記ストッパ（１５０；２５０；３５０）が前記ネジ付きハウジング（１４０；２４０；３４０）に固定されている場合に、前記ネジ付きハウジング（１４０；２４０；３４０）の雌ネジ（１４６；３４６）及び／又は雌ネジセグメント及び／又はアンダーカット輪郭（２４６）のプレスフィットのために設けられていることを特徴とする、請求項１０に記載の丸形プラグインコネクタ（１００；２００；４００）。
【請求項１３】
前記受容開口部（１４４；２４４）が、少なくとも部分的に前記ストッパ（１５０；２５０；３５０）によって閉鎖されていない場合に、前記シールドスリーブ（１３０）の前記接続部分（１３２）の前記受容空間（１４２）への挿入を可能にするように構成されていることを特徴とする、請求項１から１２のいずれか一項に記載の丸形プラグインコネクタ（１００；２００；４００）。
【請求項１４】
前記ネジ付きハウジング（１４０；２４０；３４０）が、差し込み方向（Ｓ）に対して平行な前記コンタクトキャリア（１１０；４１０）の長手軸の周りに回転可能に、前記シールドスリーブ（１３０）に接続されていることを特徴とする、請求項１から１３のいずれか一項に記載の丸形プラグインコネクタ（１００；２００；４００）。
【請求項１５】
前記ネジ付きハウジング（１４０；２４０；３４０）が、前記相手側プラグインコネクタ部分にネジ接続するために、少なくとも１つの雄ネジ（１４８；２４８；３４８）を有していることを特徴とする、請求項１から１４のいずれか一項に記載の丸形プラグインコネクタ（１００；２００；４００）。
【請求項１６】
前記ネジ付きハウジング（１４０；２４０；３４０）が、前記接触要素（１１２）を、前記コンタクトキャリア（１１０；４１０）の長手軸に対して径方向において、少なくとも部分的に包囲していることを特徴とする、請求項１から１５のいずれか一項に記載の丸形プラグインコネクタ（１００；２００；４００）。
【請求項１７】
前記丸形プラグインコネクタ（４００）が、アングルタイプの丸形プラグインコネクタ（４００）を含むことを特徴とする、請求項１から１６のいずれか一項に記載の丸形プラグインコネクタ（４００）。
【請求項１８】
前記丸形プラグインコネクタ（１００；２００）が、ストレートタイプの丸形プラグインコネクタ（１００；２００）を含むことを特徴とする、請求項１から１７のいずれか一項に記載の丸形プラグインコネクタ（１００；２００；４００）。
【発明の詳細な説明】
【技術分野】
【０００１】
本発明は、請求項１のおいて書きに記載の、相手側プラグインコネクタとシールドプラグイン接続を形成するための丸形プラグインコネクタに関する。
【背景技術】
【０００２】
このような丸形プラグインコネクタは、電線端部の接続に用いられ、その際、同時に、プラグイン接続の電気的シールドがもたらされる。特に、プラグイン接続を越えた、ワイヤの連続的なシールドが行われ得る。
【０００３】
このような丸形プラグインコネクタは、少なくとも１つの電気的接触要素を有するコンタクトキャリアと、コンタクトキャリアを少なくとも部分的に包囲するシールドスリーブと、シールドスリーブに回転可能に接続された、丸形プラグインコネクタを相手側プラグインコネクタ部分とネジ接続するために設けられたネジ付きハウジングと、を含んでいる。その際、シールドスリーブの接続部分は、ネジ付きハウジングの受容空間に受容されている。さらに、丸形プラグインコネクタは、ネジ付きハウジングとシールドスリーブとの間にシールド接続が存在するように構成されている。
【０００４】
この種類の、従来の丸形プラグインコネクタにおいては、シールドスリーブは、差し込み方向に対して平行に、ネジ付きハウジング内で移動可能であるように受容されている。その際、ネジ付きハウジングとシールドスリーブとの間には、導電性材料から成る弾性要素が配置されている。当該弾性要素は、軸方向におけるシールドスリーブの位置とは無関係に、ネジ付きハウジングとシールドスリーブとの間におけるシールド接続に用いられる。同時に、弾性要素は、シールドスリーブに対するネジ付きハウジングの回転可能性を大幅には損なわないように構成されている。弾性要素としては、例えば渦巻バネ又は波形バネ座金が用いられる。
【０００５】
この丸形プラグインコネクタにおいては、弾性要素と弾性要素に接する装置部分との間におけるシールド接続が、比較的小さい接触領域を通じて行われることから困難が生じ得る。つまり、渦巻バネの場合は、シールドコンタクトは典型的には線状であり、バネ座金の場合は点状である。それによって、接触の質が損なわれる可能性がある。さらに、プラグイン接続のネジ接続の際に、コンタクトキャリアと、それに伴ってシールドスリーブとは、ネジ付きハウジングに対して、差し込み方向とは反対方向において最も離れた位置に押し込まれる。それによって、弾性要素は、可能な限り緩められ、弾性要素の接触力は最小化される。これは、例えば振動が大きい場合、シールドコンタクトの一時的な切断につながり得る。
【０００６】
特に小型の丸形プラグインコネクタの場合は、シールドコンタクトを確実化するための、設計面からの解決策は困難である。
【発明の概要】
【発明が解決しようとする課題】
【０００７】
従って、上述の問題を緩和又は回避するプラグインコネクタ部分の必要性が存在する。
【課題を解決するための手段】
【０００８】
本課題は、請求項１の特徴を有する対象物によって解決される。
【０００９】
それによると、シールドスリーブは、接続部分においてカラーを有しており、丸形プラグインコネクタはさらに、ストッパを含んでおり、当該ストッパは、受容空間の受容開口部を、少なくとも部分的に閉鎖し、カラーが受容空間内に留められているように構成されている。
【００１０】
ネジ付きハウジング、シールドスリーブ及びストッパは、導電性材料を含み得る。その際、ネジ付きハウジング、シールドスリーブ及びストッパは、少なくとも主として、金属から構成され得る。
【００１１】
ストッパは、少なくとも部分的に、カラーを通じた平面での接触を行うように構成された端面を有し得る。その際、丸形プラグインコネクタが、ネジ付きハウジングを用いて、相手側プラグインコネクタ部分とネジ接続されている場合、当該端面は、カラーを通じた平面での接触を行うように構成されていて良い。さらに、当該端面は、端部輪郭を有し得る。丸形プラグインコネクタが、ネジ付きハウジングを用いて、相手側プラグインコネクタ部分とネジ接続されている場合、端部輪郭は、特にネジ付きハウジングが望ましくないことに回転して緩むことに対して耐振性を形成するために、カラーの相手側輪郭に係合するように設定され得る。端部輪郭は、セグメント化され得る。その際、カラーの接触面に対して平行に配置された端部輪郭のセグメントは、歯状の凹部を有することが可能であり、当該凹部は、凹部に対向する、カラーの相手側輪郭の歯と共に、防振をもたらすように構成されている。
【００１２】
ストッパは、螺入、及び／又は、挿入と捻りとによって、ネジ付きハウジングに固定され、受容開口部を少なくとも部分的に閉鎖するように構成されていて良い。
【００１３】
ネジ付きハウジングは、受容開口部の領域において、少なくとも１つの雌ネジ及び／又は少なくとも１つの雌ネジセグメントを有し得る。さらに、ストッパは、ストッパを受容開口部に螺入するために、少なくとも１つの雄ネジ及び／又は少なくとも１つの雄ネジセグメントを有し得る。その際、雌ネジ及び／又は雌ネジセグメントは、回して取り外される雌ネジ及び／又は回して取り外される雌ネジセグメントを含み得る。ネジ付きハウジング及びストッパは、少なくとも部分的に、亜鉛ダイキャストによって製造されていて良い。
【００１４】
付加的又は代替的に、雌ネジ及び／又は雌ネジセグメントは、円錐形の雌ネジ及び／又は円錐形の雌ネジセグメントを含み得る。これらは、少なくとも部分的に、フライス加工によって製造されていて良い。
【００１５】
付加的又は代替的に、ネジ付きハウジングは、受容開口部の領域において、少なくとも１つのアンダーカット輪郭を有し得る。ストッパは、外側面において、少なくとも１つの相手側アンダーカット輪郭を有することが可能であり、この相手側アンダーカット輪郭は、差し込み及び捻りを用いて、ストッパを受容開口部内に固定するために、ネジ付きハウジングのアンダーカット輪郭と係合するように構成されている。ネジ付きハウジング及びストッパは、少なくとも部分的に、フライス加工によって製造されていて良い。
【００１６】
丸形プラグインコネクタは、少なくとも１つの雄ネジ、少なくとも１つのアンダーカット輪郭及び／又は丸形プラグインコネクタの材料を、丸形プラグインコネクタのアンダーカット輪郭に隣接する領域にプレスフィットすることによって、ネジ付きハウジングに接するストッパがネジ付きハウジングに分離不能に固定可能であるように、構成されていて良い。特に、丸形プラグインコネクタは、ストッパの材料及び／又はネジ付きハウジングの材料を、ストッパ及び／又はネジ付きハウジングのアンダーカット輪郭に隣接する領域にプレスフィットすることによって、ネジ付きハウジングに接するストッパがネジ付きハウジングに分離不能に固定可能であるように構成されていて良い。ストッパは、少なくとも１つの窓を有することが可能であり、この窓は、ストッパがネジ付きハウジングに固定されている場合、窓の下に位置する雌ネジ及び／若しくは雌ネジセグメント並びに／又は窓の下に位置するネジ付きハウジングのアンダーカット輪郭のプレスフィットのために設けられている。
【００１７】
ネジ付きハウジングの受容開口部は、受容開口部がストッパによって、少なくとも部分的に閉鎖されていない場合に、受容開口部がシールドスリーブの接続部分の受容空間への挿入を可能にするように構成されていて良い。特に、受容開口部は、カラーを受容空間に挿入するために構成されていて良い。
【００１８】
ネジ付きハウジングは、差し込み方向に対して平行であるコンタクトキャリアの長手軸の周りに回転可能であるように、シールドスリーブに接続されていて良い。さらに、ネジ付きハウジングは、相手側プラグインコネクタ部分にネジ接続するために、少なくとも１つの雄ネジを有し得る。ネジ付きハウジングは、接触要素を、コンタクトキャリアの長手軸に対して径方向において、少なくとも部分的に包囲することができる。
【００１９】
丸形プラグインコネクタは、アングルタイプの丸形プラグインコネクタを含み得る。代替的に、丸形プラグインコネクタは、ストレートタイプの丸形プラグインコネクタを含み得る。
【００２０】
本発明のさらなる特徴、課題及び利点は、詳細な説明及び図面から明らかである。
【図面の簡単な説明】
【００２１】
【図１】一実施例に係る丸形プラグインコネクタの横断面を概略的に示した図である。
【図２】別の実施例に係る丸形プラグインコネクタの横断面の一部を概略的に示した図である。
【図３Ａ】一実施例に係る丸形プラグインコネクタのためのネジ付きハウジング及びストッパを概略的に示した斜視図である。
【図３Ｂ】一実施例に係る丸形プラグインコネクタのためのネジ付きハウジング及びネジ付きハウジング内に固定されたストッパを概略的に示した斜視図である。
【図４】別の実施例に係る丸形プラグインコネクタのためのネジ付きハウジング及びストッパを概略的に示した斜視図である。
【図５Ａ】別の実施例に係る丸形プラグインコネクタのためのネジ付きハウジング及びストッパの、概略的に示した異なる斜視図である。
【図５Ｂ】別の実施例に係る丸形プラグインコネクタのためのネジ付きハウジング及びストッパの、概略的に示した異なる斜視図である。
【図６】別の実施例に係る丸形プラグインコネクタの横断面を概略的に示した図である。
【発明を実施するための形態】
【００２２】
図１は、一実施例に係る丸形プラグインコネクタ１００の横断面を概略的に示している。丸形プラグインコネクタ１００は、相手側プラグインコネクタ（図示されていない）とシールドプラグイン接続を形成するように設定されている。
【００２３】
丸形プラグインコネクタ１００は、相手側プラグインコネクタの１つ又は複数の相手側接触要素の接触のために、複数の接触要素１１２を有するコンタクトキャリア１１０を含んでいる。コンタクトキャリア１１０は、丸形プラグインコネクタ１００のグリップ本体１２０内に囲まれている。グリップ本体１２０には、さらにケーブルＫが受容されている。その際、接触要素１１２は、ケーブルＫの少なくとも１つのワイヤと電気的に接続されている。
【００２４】
丸形プラグインコネクタ１００は、シールドスリーブ１３０を含んでおり、シールドスリーブ１３０は、コンタクトキャリア１１０を少なくとも部分的に包囲し、コンタクトキャリア１１０の領域において、丸形プラグインコネクタ１００のシールドの一部を形成する。丸形プラグインコネクタ１００はさらに、ネジ付きハウジング１４０を含んでおり、ネジ付きハウジング１４０は、コンタクトキャリア１１０に対して回転可能に、グリップ本体１２０に固定されている。ネジ付きハウジング１４０は、受容空間１４２を含んでおり、受容空間１４２には、ネジ付きハウジング１４０の差し込み方向Ｓにおいて後方の側にある受容開口部１４４を通じて到達可能である。ネジ付きハウジング１４０はさらに、丸形プラグインコネクタ１００を相手側プラグインコネクタとネジ接続するために、雄ネジ１４８を含んでいる。このようなネジ接続は、例えば、プラグイン接続を意図しない解除から守るために用いられる。当該ネジ接続は、いくつかの例において、さらに、プラグイン接続全体を連続的にシールドするため、例えばケーブルＫとケーブルＫに接続された相手側ケーブルとを、プラグイン接続を越えて連続的にシールドするために設けられている。
【００２５】
シールドスリーブ１３０は、接続部分１３２で、ネジ付きハウジング１４０の受容空間１４２に受容されている。その際、受容開口部１４４は、例えば接続部分１３２が受容開口部１４４を通って受容空間１４２に挿入され得るように構成されている。シールドスリーブ１３０は、差し込み方向において前方の端部に、カラー１３４を有している。ネジ付きハウジング１４０は、ストッパ１５０によって、シールドスリーブ１３０の分離から守られており、ストッパ１５０は、受容開口部１４４を、カラー１３４の後方において、部分的に閉鎖している。図示された例では、ストッパ１５０にはそのために、２つの雄ネジセグメントが設けられており、当該雄ネジセグメントは、受容開口部１４４の領域において、ネジ付きハウジング１４０の雌ネジに係合する。ストッパ１５０は、シールドスリーブ１３０が、ネジ付きハウジング１４０に関して、差し込み方向Ｓに対して後方の方向に押し込まれる場合、ストッパ１５０の端面１５２が、カラー１３４と平面で接触するように構成されている。
【００２６】
プラグイン接続のシールドを形成するために、シールドスリーブ１３０、ストッパ１５０及びネジ付きハウジング１４０はそれぞれ、接触要素１１２を含むコンタクトキャリア１１０の一部を包囲している。その際、シールドスリーブ１３０、ネジ付きハウジング１４０及びストッパ１５０は、例えば導電性材料から形成されているか、又は、導電性材料を含んでいる。丸形プラグインコネクタ１００は、ネジ付きハウジング１４０とシールドスリーブ１３０との間のシールドコンタクトを、一方においてストッパ１５０とネジ付きハウジング１４０との間の接触によって、及び、他方においてストッパ１５０とシールドスリーブ１３０のカラー１３４との間の、ストッパ１５０の端面１５２を通じた接触によって可能にする。その際、シールドスリーブ１３０とストッパ１５０との間の接触は、カラー１３４と端面１５２との間の、平面状に広がる接触の形で行われる。接触の質は、例えば従来の弾性要素を使用した場合に生じる点状又は線状の接触領域に対して、改善される。
【００２７】
ネジ付きハウジング１４０を相手側プラグインコネクタとネジ接続する場合、さらに、コンタクトキャリア１１０、及び、それに伴ってカラー１３４を含むシールドスリーブ１３０は、ネジ付きハウジング１４０に対して、差し込み方向Ｓとは反対に押し込まれる。それによって、カラー１３４は、ストッパ１５０の端面１５２に対して押し付けられ、それによって、シールドコンタクトが、端面１５２とカラー１３４との間で、丸形プラグインコネクタ１００がネジ接続された状態において形成され、さらに、シールドコンタクトの切断から効果的に保護されている。
【００２８】
いくつかの例において、端面１５２は、さらに端部輪郭を有しており、当該端部輪郭は、カラー１３４の相手側輪郭に係合し、例えばネジ付きハウジング１４０が望ましくないことに回転して緩むことに対して、耐振性を形成する。端部輪郭は、いくつかの例においてセグメント化されており、カラー１３４の接触面に対して平行に配置された端部輪郭のセグメントは、歯状の凹部を有しており、当該凹部は、凹部に対向する、カラーの相手側輪郭の歯と共に、耐振性を形成している。防振を通じて、ネジ付きハウジングが望ましくないことに回転して緩むことに対して、及び、それに伴うシールドコンタクトの切断に対しても、付加的な保護が提供されている。
【００２９】
図示された例では、丸形プラグインコネクタ１００はさらに、複数のシール要素１３６ａ、１３６ｂを含んでいる。これらのシール要素は、例えば丸形プラグインコネクタ１００の様々な部分の間の移行部の包囲及び／又はシールに用いられる。
【００３０】
図１に示された例は、ストレートタイプの丸形プラグインコネクタ１００である。しかしながら、説明された技術は、例えばアングルタイプの丸形プラグインコネクタといった、別の丸形プラグインコネクタに関連して適用することも可能である。さらに、図１の例に関連して、ネジ付きハウジング１４０の受容開口部１４４とストッパ１５０との間に、ネジ接続が設けられている。しかしながら、上述の利点は、以下に詳細に記載するように、さらなる接続種類、特に様々なネジ接続、又は、例えばアンダーカット輪郭等の、別の接続、によっても得られる。
【００３１】
図２は、別の例に係る丸形プラグインコネクタ２００の横断面の一部を概略的に示している。以下において別の記載がなされない限りにおいて、丸形プラグインコネクタ２００に関しては、図１の丸形プラグインコネクタ１００に関連する記載が対応して有効である。
【００３２】
図１の例とは異なり、丸形プラグインコネクタ２００のネジ付きハウジング２４０は、ストッパ２５０と接続するために、雄ネジではなく、アンダーカット輪郭２４６を有している。その際、アンダーカット輪郭２４６は、ストッパ２５０の外側面において、相手側アンダーカット輪郭２５４に係合している。その際、ネジ付きハウジング２４０へのストッパ２５０の固定は、ストッパ２５０をネジ付きハウジング２４０に差し込み、次に、ストッパ２５０を捻ることで、アンダーカット輪郭２４６と相手側アンダーカット輪郭２５４とを互いに対して回転させることによって行われる。図示された例ではさらに、ネジ付きハウジング２４０のアンダーカット輪郭２４６に隣接するストッパ２５０の材料が、ストッパ２５０が挿入され、捻られた後に、ネジ付きハウジング２４０のアンダーカット輪郭２４６の手前で、例えばプレスフィットによって変形しており、それによって、その後でネジ付きハウジング２４０に対してストッパ２５０が回転することが防止される。このような方法で、ストッパ２５０は、不可逆的にネジ付きハウジング２４０に固定されており、それによって、例えばストッパ２５０の望ましくない分離が防止されている。別の例では、アンダーカット輪郭２４６及び／又は相手側アンダーカット輪郭２５４は、ストッパ２５０の固定の後でのストッパ２５０の回転を防止するために、自身が変形するように規定されている。
【００３３】
図３Ａ及び図３Ｂは、ネジ付きハウジング１４０とストッパ１５０とを、異なる配置で示している。ネジ付きハウジング１４０及びストッパ１５０は、例えば図１に関連して記載されたものである。その際、図３Ａ及び図３Ｂにおいて、図１と同じ参照符号は、同じ特徴を表している。
【００３４】
図３Ａには、受容開口部１４４の領域における、ネジ付きハウジング１４０の雌ネジ１４６が示されている。さらに、ストッパ１５０の外側面には、雄ネジセグメント１５４が設けられている。雄ネジセグメント１５４は、ネジ付きハウジング１４０の雌ネジ１４６にネジ接続するために用いられる。図示された例では、ストッパ１５０の端面は、シールドスリーブ（図示せず）のカラーにおいて、相手側輪郭と耐振性を形成するために、端部輪郭１５８を有している。いくつかの例では、ネジ付きハウジング１４０及びストッパ１５０は、亜鉛ダイキャストによって製造されている。その際、いくつかの例において、雌ネジ１４６は、亜鉛ダイキャストツールにおいて、回して取り外されたネジである。
【００３５】
ストッパ１５０は、さらに複数の窓１５６を有している。窓１５６は、ネジ付きハウジング１４０にストッパ１５０を螺入した後、例えばプレスフィットによって、雄ネジセグメント１５４のそれぞれに隣接する領域における雌ネジ１４６の変形を可能にするために設けられている。図２に関連して記載されたアンダーカット輪郭２４６のプレスフィットと同様に、雌ネジ１４６のプレスフィット又は他の方法での変形は、このように、ネジ付きハウジング１４０からのストッパ１５０の望ましくない分離を防止する。
【００３６】
図３Ｂは、図３Ａのネジ付きハウジング１４０及びストッパ１５０を示しており、ストッパ１５０は、ネジ付きハウジング１４０に螺入されている。その際、ストッパ１５０の窓１５６のそれぞれは、ネジ付きハウジング１４０の雌ネジ１４６の一部に通じる入口を提供する。窓１５６の領域では、雌ネジ１４６の変形が促進されている。
【００３７】
図４は、別の実施例に係る丸形プラグインコネクタにおいて用いるための、ネジ付きハウジング３４０及びストッパ３５０を概略的に示した斜視図である。以下において別の記載がなされない限りにおいて、ネジ付きハウジング３４０、ストッパ３５０、及び、それらと共に使用するために設けられた丸形プラグインコネクタに関しては、上述の記載が対応して有効である。
【００３８】
ネジ付きハウジング３４０も、相手側プラグインコネクタにネジ接続するために、雄ネジ３４８を含んでいる。さらに、ストッパ３５０も、複数の窓３５６を含んでおり、窓３５６は、ストッパ３５０とネジ付きハウジング３４０との間の接続の、プレスフィット又はその他の変形による確実化を促進する。図３Ａ及び図３Ｂの例とは異なり、ネジ付きハウジング３４０は、円錐形の雌ネジ３４６を含んでいる。これは、例えば回して取り外されたネジではない。いくつかの例において、円錐形の雌ネジ３４６は、少なくとも部分的に、フライス加工によって製造されている。窓３５６と、それによって促進される雌ネジ３４６の変形とに関しては、図３Ａ及び図３Ｂに関連する記載が対応して有効である。
【００３９】
図５Ａは、別の例に係るネジ付きハウジング２４０及びストッパ２５０を概略的に示した斜視図である。ネジ付きハウジング２４０及びストッパ２５０は、例えば図２に関連して記載されたものである。受容開口部２４４の領域にはアンダーカット輪郭２４６が、ストッパ２５０の外側面には対応する相手側アンダーカット輪郭２５４が視認できる。アンダーカット輪郭２４６及び相手側アンダーカット輪郭２５４は、挿入及び捻りによる、ストッパ２５０のネジ付きハウジング２４０への固定を可能にする。
【００４０】
ストッパ２５０も、複数の窓２５６を有している。これらの窓も、上述したように、ストッパ２５０の挿入及び捻りの後におけるアンダーカット輪郭２４６の変形を促進する。ストッパ２５０は、例えば、ネジ付きハウジング２４０内に不可逆的に固定され得る。いくつかの例では、アンダーカット輪郭２４６及び相手側アンダーカット輪郭２５４を形成するために、ネジ付きハウジング２４０及びストッパ２５０は、少なくとも部分的に、フライス加工によって製造されている。
【００４１】
図５Ｂは、ネジ付きハウジング２４０及びストッパ２５０を概略的に示した別の斜視図である。ストッパ２５０の端面に、端部輪郭２５８が視認できる。端部輪郭２５８は、シールドスリーブ（図示せず）のカラーにおいて、相手側輪郭と耐振性を形成するために設けられている。
【００４２】
図６は、別の実施例に係る丸形プラグインコネクタ４００の横断面を概略的に示している。以下において別の記載がなされない限りにおいて、丸形プラグインコネクタ４００に関しては、図１及び図２の丸形プラグインコネクタ１００、２００に関連する記載が対応して有効である。
【００４３】
丸形プラグインコネクタ１００、２００とは異なり、丸形プラグインコネクタ４００は、アングルタイプのプラグインコネクタである。その際、グリップ本体４２０は、差し込み方向に対して平行なコンタクトキャリア４１０の長手軸が、接続されたケーブルの入口方向に対して角度付けられているように設計されている。図６に示されているように、ストレートタイプのプラグインコネクタ１００、２００に関連して既に説明された技術は、同様に、アングルタイプの丸形プラグインコネクタ４００でも適用可能である。
【００４４】
丸形プラグインコネクタ４００においては、さらに、図１の例と同様に、ストッパとネジ付きハウジングとの間でネジ接続が設けられている。しかしながら、上述したように、丸形プラグインコネクタ４００でも、ストッパをネジ付きハウジングに固定するためのさらなる技術、例えば図３Ａから図５に関連して記載された技術それぞれが適用可能である。
【符号の説明】
【００４５】
１００、２００、４００  丸形プラグインコネクタ
１１０、４１０  コンタクトキャリア
１１２  接触要素
１２０、４２０  グリップ本体
１３０  シールドスリーブ
１３２  接続部分
１３４  カラー
１３６ａ、１３６ｂ  シール要素
１４０、２４０、３４０  ネジ付きハウジング
１４２  受容空間
１４４、２４４  受容開口部
１４６、３４６  雌ネジ
１４８、２４８、３４８  雄ネジ
１５０、２５０、３５０  ストッパ
１５２  端面
１５４、３５４  雄ネジセグメント
１５６、２５６、３５６  窓
１５８、２５８  端部輪郭
２４６  アンダーカット輪郭
２５４  相手側アンダーカット輪郭
Ｋ  ケーブル
Ｓ  差し込み方向
【図１】
2019102448.tif 000003
【図２】
2019102448.tif 000004
【図３Ａ】
2019102448.tif 000005
【図３Ｂ】
2019102448.tif 000006
【図４】
2019102448.tif 000007
【図５Ａ】
2019102448.tif 000008
【図５Ｂ】
2019102448.tif 000009
【図６】
2019102448.tif 000010
【外国語明細書】
2019102448000001.pdf